(57)【要約】【課題】トラッキング性能の向上とトナー消費量の削減のいずれか一方を優先させたり、あるいは双方のバランスを調整することができる画像処理装置を提供する。【解決手段】複数のドットから構成されるドットパターンを、電子透かしデータとして埋め込み可能な画像処理装置において、ドットパターンのサイズを算出するパターンサイズ算出手段と、原稿の印字することができる印字可能領域における、印字対象でない余白領域のサイズを算出する余白領域算出手段と、ドットパターンのサイズの設定を受け付けるパターンサイズ受付手段と、パターンサイズ受付手段が受け付けたサイズの設定に基づき、ドットパターンのサイズを変更するパターンサイズ変更手段と、サイズを変更したドットパターンを前記余白領域に埋め込む埋め込み手段とを備える。【選択図】図５
2008219331.tif 000002
【特許請求の範囲】
【請求項１】
複数のドットから構成されるドットパターンを、電子透かしデータとして埋め込み可能な画像処理装置であって、
ドットパターンのサイズを算出するパターンサイズ算出手段と、
原稿の印字することができる印字可能領域における、印字対象でない余白領域のサイズを算出する余白領域算出手段と、
ドットパターンのサイズを変更するパターンサイズ変更手段と、
サイズを変更したドットパターンを前記余白領域に埋め込む埋め込み手段と、
を備える画像処理装置。
【請求項２】
ドットパターンのサイズの設定を受け付けるパターンサイズ受付手段を備え、
前記パターンサイズ算出手段が、前記パターンサイズ受付手段が受け付けたサイズの設定に基づいて、ドットパターンのサイズを変更する
請求項１記載の画像処理装置。
【請求項３】
請求項１又は２に記載の画像処理装置としてコンピュータを機能させるための画像処理プログラム。
【請求項４】
請求項１又は２に記載の画像処理装置としてコンピュータを機能させるための画像処理プログラムを記録したコンピュータ読み取り可能な記録媒体。
【請求項５】
複数のドットから構成されるドットパターンを電子透かしデータとして埋め込む画像処理方法であって、
前記ドットパターンのサイズを算出するステップと、
原稿の印字することができる印字可能領域における、印字対象でない余白領域のサイズを算出するステップと、
原稿の印字することができる印字可能領域における、印字対象でない余白領域のサイズを算出するステップと、
ドットパターンのサイズを変更するステップと
サイズを変更したドットパターンを前記余白領域に電子透かしデータとして埋め込むステップと、
を備える画像処理方法。
【発明の詳細な説明】
【技術分野】
【０００１】
本発明は、画像処理装置、画像処理方法および画像処理プログラムに関し、特に電子透かしデータを埋め込み可能な画像処理装置等に関する。
【背景技術】
【０００２】
印刷装置では、画像データをプリントした用紙や画像データ自体の不正コピーを抑止したり、用紙や画像データの流出元を特定したりするために電子透かしが用いられている。電子透かしは、例えば複数のドットからなるドットパターンで構成されており、このドットパターンから出力者の情報等を読み取ることが可能となっている。このように、例えば画像データに電子透かしを埋め込むことで、流出経路を追跡することができる。電子透かしは、改竄の有無や真正性を検証するのにも用いられている
このように利用される電子透かしについて、例えば特許文献１には、文字データが無い空白部分を検出して、その空白部分に電子透かしデータを埋め込む技術が記載されている。
【特許文献１】特開２００５−３８２４３号公報
【発明の開示】
【発明が解決しようとする課題】
【０００３】
ところで、ドット自体のサイズを変えることで、電子透かしデータの濃度を調整する技術が知られている。すなわち、ドットのサイズを大きくすると、確実に電子透かしを読み取ることができる反面、濃度が上がってトナー消費量が増加する。これに対して、ドットのサイズを小さくすると、濃度が下がってトナー消費量を減少させることができる。
【０００４】
ところが、ドットのサイズを小さくすると、ドットを検出することができなくなる可能性があり、いわゆるトラッキング性能に問題が発生する。このように、トナー消費量の削減を目的にドットのサイズを小さくするのには、トラッキング性能の観点から限界があった。
【０００５】
本発明は、このような従来の技術における課題を鑑みてなされたものであり、トラッキング性能の向上とトナー消費量の削減とのいずれを優先するかを選択したり、あるいは双方のバランスを調整したりすることのできる画像処理装置等を提供することを目的とするものである。
【課題を解決するための手段】
【０００６】
上述の目的を達成するために、本発明の提供する画像処理装置は、複数のドットから構成されるドットパターンを、電子透かしデータとして埋め込み可能であることを前提とし、ドットパターンのサイズを算出するパターンサイズ算出手段と、原稿の印字することができる印字可能領域における、印字対象でない余白領域のサイズを算出する余白領域算出手段とを備える。パターンサイズ算出手段は、ユーザにより設定された電子透かしデータを視覚的に認知することができるイメージデータに展開することで、ドットパターンのサイズを算出する。余白領域算出手段は、ユーザにより設定された印刷画像データをイメージデータに展開することで、余白領域のサイズを算出する。
【０００７】
ドットパターンのサイズと余白領域のサイズとの情報を得たユーザは、前記余白領域に前記ドットパターンをいくつ埋め込むかを決定する。例えば、同一の情報をもつドットパターンを繰り返し複数埋め込むことで、一部に読取り不能なドットパターンがあっても他のドットパターンから読み取ることができ、トラッキング性能の向上につながる。他方、埋め込むパターン数を少なくすることで、トナー消費量を削減することができる。
【０００８】
このようにして、ユーザは、トラッキング性能の向上とトナー消費量の削減とを考慮して埋め込みパターン数と、そのパターン数に基づいてドットパターンのサイズとを決定する。
【０００９】
さらに、本発明の画像処理装置は、ドットパターンのサイズを変更するパターンサイズ変更手段と、サイズを変更したドットパターンを前記余白領域に電子透かしデータとして埋め込む埋め込み手段を備える。
【００１０】
パターンサイズ変更手段は、上述のようにユーザが決定したドットパターンの埋め込みパターン数、サイズ等に基づいてドットパターンのサイズを変更する。例えば、ドットパターンのサイズの設定を受け付けるパターンサイズ受付手段を備え、パターンサイズ受付手段が受け付けたサイズ設定に基づいて変更するようにしてもよい。
【００１１】
以上のように、本発明の画像処理装置によれば、トナー消費量の削減を優先させたい場合には、ドットパターンのサイズを大きくすることができる。この結果、埋め込むことができるパターン数は少なくなり、トナー消費量を抑えることが可能となる。なお、ドットパターンのサイズを大きくしても、ドット自体の大きさは変わらない。
【００１２】
他方、トラッキング性能の向上を優先させたい場合には、ドットパターンのサイズを小さくする。この結果、同一の情報をもつパターン数を多く埋め込むことができ、一部に読み取れないドットパターンがあっても、他のドットパターンから読み取ることができる可能性が高まる。このようにして、トナー消費量の削減とトラッキング性能の向上のいずれかを優先させることを選択することができる。
【００１３】
また、いずれか一方を優先させるのではなく、一定のトラッキング性能を維持しつつトナー消費量を抑えたい場合がある。このような場合には、ドットパターンのサイズを適度に大きくすることで、トラッキング性能とトナー消費量の削減とのバランスを図ることができる。
【００１４】
他の観点によれば、本発明は、上述の画像処理装置としてコンピュータを機能させるための画像処理プログラム及びそのプログラムを記録したコンピュータ読み取り可能な記録媒体を提供することができる。
【発明の効果】
【００１５】
本発明によれば、トラッキング性能の向上とトナー消費量の削減のいずれか一方を優先したり、あるいは双方のバランスを調整することができる。
【発明を実施するための最良の形態】
【００１６】
以下、添付図面を参照して本発明の実施の形態について説明する。図１は、本実施の形態における画像処理システムの全体構成の簡略図である。
【００１７】
本発明は、例えばプリンタ１０２や複合機１０３などの印刷装置１０１とネットワーク１０４を介して接続されたコンピュータ１００及びそのコンピュータ１００上で動作する画像処理プログラムとして具体化される。コンピュータ１００は、例えばパーソナルコンピュータやサーバなどの一般的な汎用コンピュータを用いることが出来る。このコンピュータ１００が、電子透かしを生成して、電子透かしを印刷画像データに埋め込む。そして、コンピュータ１００は、電子透かしが埋め込まれた印刷画像データを印刷装置に出力する。印刷装置１０１は、取得した電子透かし入り印刷画像データに基づいて、電子透かしが埋め込まれた印刷画像を用紙に印刷する。
【００１８】
本実施形態では、電子透かしとして埋め込まれるデータは、印刷画像データとともにドットパターンとして印字される地紋画像データとなっている。印刷画像を印刷した用紙が流出しても、複数のドットからなるドットパターン（地紋パターン、地紋タイルともいう。）に埋め込まれた追跡情報により、流出源を特定することができ、結果的に不正流出が抑止される。
【００１９】
図２は、画像処理に用いるコンピュータのハードウェア構成の一例を示す図である。コンピュータ１００は、ＣＰＵ２０１やバス２０２を有する。ＣＰＵ２０１はバス２０２を通じてＲＯＭ２０３やＲＡＭ２０４と接続される。ＲＯＭ２０３に記憶されたプログラムの指令にしたがってコンピュータ１０２が起動すると、ＣＰＵ２０１はＲＡＭ２０４上でＯＳ２０５の一部または全部を動作させる。また、ＲＡＭ２０４には、ユーザの入力に基づき、印刷画像データ２１０や地紋画像データ２１１のファイルが格納される。
【００２０】
バス２０２には、入力装置２０６や表示装置２０７、通信インターフェイス２０８も接続されている。入力装置２０６には、マウスやトラックボールのようなカーソルデバイスや、キーボードを用いることができる。表示装置２０７には、液晶ディスプレイやＣＲＴディスプレイを用いることができる。通信インターフェイス２０８は、ネットワーク１０４にコンピュータ１００を接続する。
【００２１】
さらにバス２０２には、記憶装置の一つとして、ＨＤＤ２０９も接続されている。ＨＤＤ２０９は、コンピュータ１００を画像処理装置として機能させるための、印刷画像データ２１０の処理を実行する画像処理プログラム２１２のファイルを格納している。ＣＰＵ２０１は、バス２０２を介して画像処理プログラム２１２をＨＤＤ２０９から読み出し、そのプログラム２１２の指令に従って印刷画像データ２１０の処理を実行する。この処理には、前記地紋画像データ２１１を印刷画像データ２１０に埋め込む処理も含まれる。
【００２２】
さらに、ＨＤＤ２０９は、画像処理プログラム２１２のファイルのほか、プリンタドライバ２１３のファイルも格納している。プリンタドライバ２１３のファイルは、コンピュータ１００のユーザが用いる印刷装置１０１に応じて予めＨＤＤ２０９に格納され、ユーザによる印刷指示を受けると呼び出される。プリンタドライバ２１３は、対応する印刷装置１０１が処理可能な形式にデータを変換し、その印刷データをその印刷装置１０１に出力する。例えばネットワーク１０４を通じ、その印刷データをプリンタ１０５が受信すると、プリンタコントローラ２１５の制御にしたがってプリンタエンジン２１６がそのデータを用紙に印刷する。
【００２３】
以上のように、コンピュータ１００は、画像処理プログラム２１２やプリンタドライバ２１３の指令にしたがって、ＲＯＭ２０３やＨＤＤ２０９上のファイルに対して入出力を行い、ＲＯＭ２０３に格納された印刷画像データを処理する画像処理装置として機能する。
【００２４】
図３は、地紋データのデータ構成の一例を示す図である。地紋データは、流出元を特定するための出力者の情報であって、ユーザによって入力装置から入力される。地紋データ３０１としては、ネットワークを介してデータを送受信するのに必要なコンピュータ固有のアドレス（例えばＭＡＣ（Media Access Control）アドレス、ＩＰアドレス）、ネットワーク上でコンピュータに付与されるホスト名、印刷日時、文書名、ユーザ定義（例えばユーザのコード又は氏名など）等を用いることができる。ユーザは、必ずしもこれらの地紋データ３０１の全ての項目を入力する必要は無く、所望のデータ項目に限定して入力してもよい。この地紋データを基に、地紋画像（すなわち複数のドットからなるドットパターン）が生成される。
【００２５】
図４は、印刷画像データが印字可能領域に出力された状態のイメージ画像を示す図である。印刷画像データは、ユーザによって入力装置から入力される。本実施形態の印字可能領域４０１は、原稿の印字面全域に渡っており、印字対象となる印字領域４０２（すなわち、印字される予定の領域）と印字対象とならない余白領域４０３（すなわち、印字されない予定の領域）とで構成される。この余白領域４０３に地紋（すなわち複数のドットからなるドットパターン）が埋め込まれることとなる。
【００２６】
次に、印刷画像データを処理するための具体的な各手段について説明する。以下に示す各手段は、ＣＰＵ２０１がプログラムを実行することによって動作する。
【００２７】
図５は画像処理装置の機能的構成の一例を示す図である。コンピュータ１００は、地紋データ受付部５０１、地紋画像データ生成部５０２、地紋画像データ記憶部５０３、パターンサイズ算出部５０４を備えている。
【００２８】
地紋データ受付部５０１は、ユーザによって入力装置から設定された地紋データを受け付ける。
【００２９】
地紋画像データ生成部５０２は、ユーザが入力した地紋データに基づいて、複数のドットからなるドットパターンを表す地紋画像のデータ（以下、地紋画像データという）を生成する。上述のように、地紋データ５０１のデータ量が大きい場合には、優先度の高い地紋データ５０１を抽出して、抽出した地紋データ５０１に基づいて地紋画像データを生成するようにしてもよい。生成された地紋画像データは、地紋画像データ記憶部５０３に記憶される。
【００３０】
パターンサイズ算出部５０４は、地紋画像データ生成部５０２によって生成されたドットパターンのサイズを算出する。具体的には、地紋画像データ記憶部５０３から地紋画像データを読み出し、印刷される画像を視覚的に認知することのできるイメージデータに展開する。この実施形態では、地紋のドットパターンを所定形状にならんだ点（ドット）の集合として表現するビットマップデータが用いられる。続いて、このビットマップデータのイメージ画像を参照して、ドットパターン１単位のサイズを算出する。ドットパターンの形状はユーザによって予め設定される。本実施形態のドットパターンは正方形に設定され、縦方向の長さと横方向の長さ（例えば５００pix（縦）×５００pix（横））により求められる。
【００３１】
また、コンピュータ１００は、印刷画像データ受付部５０５、印刷画像データ記憶部５０６、余白領域算出部５０７、サイズ比算出部５０８、パターン情報表示部５０９、パターンサイズ受付部５１０、パターンサイズ変更部５１１を備える。
【００３２】
印刷画像データ受付部５０５は、ユーザによって入力装置から入力された印刷画像データを受け付け、受け付けた印刷画像データを印刷画像データ記憶部５０６に記憶する。
【００３３】
余白領域算出部５０７は、原稿の印字することができる印字可能領域における、印字対象でない余白領域のサイズを算出する。具体的には、まず、印刷画像データ記憶部５０６から印刷画像データを読み出し、ビットマップデータに展開する。続いて、このビットマップデータのイメージ画像を参照して、最も大きな余白領域のサイズを算出する。図４に示すように、本実施形態の余白領域４０３は例えば正方形に設定され、縦方向の長さと横方向の長さ（例えば２０００pix（縦）×２０００pix（横））として求められる。
【００３４】
サイズ比算出部５０８は、前記余白領域のサイズと、前記パターン算出部が算出したドットパターンのサイズとの比を算出する。例えば、余白領域が２０００pix（縦）×２０００pix（横）で、ドットパターンが５００pix（縦）×５００pix（横）である場合、サイズ比は４：１と算出される。また、サイズ比算出部５０８は、前記余白領域のサイズと、前記パターン算出部が算出したドットパターンを拡大した場合のサイズとの比も算出する。
【００３５】
パターン数算出部５０９は、前記余白領域に埋め込むことができるドットパターンのパターン数を算出する。本実施形態では、ドットパターンも余白領域も正方形であることから、パターン数は、サイズ比の２乗として算出される。例えば余白領域とドットパターンのサイズ比が４：１であれば、埋め込むことができるパターン数は１６（４×４）と算出される。
【００３６】
パターン情報表示部５１０は、ドットパターンに関する情報を、例えばディスプレイ等の表示装置に表示させる。
【００３７】
図６は、ドットパターンに関する情報の一例を示す図である。ドットパターンの情報として、余白領域のサイズ、ドットパターンのサイズ、サイズ比、ドットパターンの埋め込み数等が表示される。余白領域のサイズの欄には、余白領域算出部によって算出されたサイズが表示される。ドットパターンのサイズの欄には、パターンサイズ算出部によって算出されたサイズ（５００pix×５００pix）、及び該サイズを拡大した場合のサイズ（例えば１０００pix×１０００pix、２０００pix×２０００）が表示される。サイズ比の欄には、ドットパターンのサイズ毎に、余白領域とドットパターンのサイズ比が表示される。ドットパターンの埋め込み数の欄には、ドットパターンのサイズ毎に、余白領域に埋め込むことが可能なパターン数が表示される。
【００３８】
ドットパターンに関する情報を得たユーザは、ドットパターンのサイズを変更するか否か、及び変更する場合には変更するサイズを決定する。具体的には、トナー消費量とトラッキング性能の関係からドットパターンのサイズを決定する。例えば、ドットパターンのサイズを大きくすると余白領域に埋め込むことができるパターン数は減少する。これにより、地紋を埋め込むのに費やすトナー消費量を削減することが出来る。これに対して、ドットパターンのサイズを大きくしない場合には、より多くのパターン数を余白領域に埋め込むことができる。これにより、たとえば一部のドットパターンが読取り不可能になっても、他のドットパターンにより読み取ることが出来る場合がある。
【００３９】
このようにユーザは、トナー消費量の削減とトラッキング性能の向上とのどちらを優先させるかを判断することができる。また、ドットパターンのサイズを適度に拡大させることで、トナー消費量を削減しつつ、一定のトラッキング性能を維持させることも出来る。ユーザは、ドットパターンのサイズを決定すると、例えばキーボード等の入力装置を用いてサイズを入力する。
【００４０】
パターンサイズ受付部５１１は、ユーザによるサイズの入力に基づいて、ドットパターンのサイズの設定を受け付ける。
【００４１】
パターンサイズ変更部５１２は、パターンサイズ受付部５１１が受け付けたサイズ設定に基づき、ドットパターンのサイズを変更する。
【００４２】
以下、パターンサイズ変更部５１２により、ドットパターンのサイズが拡大された場合について説明する。
【００４３】
図７は、サイズを拡大したドットパターンを示す図である。図７Ａは、拡大前のドットパターン、すなわちパターンサイズ算出部が算出したサイズ（５００pix×５００pix）のドットパターンを示す。図７Ｂは、２倍に拡大したサイズ（１０００pix×１０００pix）のドットパターンを示す。図７Ｃは、４倍に拡大したサイズ、すなわち余白領域と同じサイズ（２０００pix×２０００pix）に拡大したドットパターンを示す。
【００４４】
拡大前のドットパターン（図７Ａ）と拡大後のドットパターン（図７Ｂ、Ｃ）は相似形となっているため、ドットの相対的位置、すなわち例えば３点のドットを結んだ場合の角度（例えば図７では角度Ａ）は拡大しても変わらない。他方、拡大後の各ドット間の距離は、拡大前と比べてサイズ比だけ長くなる。例えば、図７Ａの距離Ｌは、図７Ｃの拡大後には４倍の距離４Ｌになる。なお、各ドット自体の大きさは、拡大前と拡大後とで一定に保たれている。
【００４５】
図８は、余白領域にドットパターンを埋め込んだ画像のイメージ図である。図８Ａは、拡大前のドットパターン（図７Ａに対応）を余白領域に埋め込んだ画像のイメージ図である。この場合は、余白領域に１６のパターン数を埋め込むことができる。したがって、一部のトラッキングパターンからは読取り不能になったとしても他のトラッキングパターンから読み取ることができる可能性が高まり、トラッキング性能の観点からは優れている。
【００４６】
図８Ｃは、４倍に拡大したドットパターン（図７Ｃに対応）を余白領域に埋め込んだ画像のイメージ図である。この場合は、余白領域と同サイズになることから、埋め込むことができるドットパターンは１つのみであり、その結果トナー消費量を削減することができる。
【００４７】
図８Ｂは、２倍に拡大したドットパターン（図７Ｂに対応）を余白領域に埋め込んだ画像のイメージ図である。この場合は、余白領域に４つのドットパターンを埋め込むことができる。図７Ａと比較するとトラッキング性能に優れており、かつ図７Ｂと比較するとトナー消費量を削減することができる。すなわち、一定のトラッキング性能を維持しつつ、トナー消費量を削減することで、トラッキング性能の維持とトナー消費量の削減の調和を図ることができる。
【００４８】
以上のようにして、パターンサイズ変更部５１３によって、ドットパターンのサイズが変更される。
【００４９】
さらに、本コンピュータ１００は、地紋画像データ埋め込み部５１３と合成画像データ出力部５１４とを備える。
【００５０】
地紋画像データ埋め込み部５１３は、サイズを変更したドットパターンを地紋画像データとして前記余白領域に埋め込み、印刷画像に地紋画像が埋め込まれた合成画像データを生成する。
【００５１】
合成画像データ出力部５１４は、前記合成画像データを、例えばプリンタ１０２に出力する。具体的には、ユーザがアプリケーションソフトから印刷を実行すると、ＯＳからの処理の要求を受けたプリンタドライバが、対応するプリンタが処理可能な形式に合成画像データを変換し、変換した合成画像データをそのプリンタに出力する。
【００５２】
以下、コンピュータの地紋を埋め込む処理手順について説明する。図９は、本実施形態のコンピュータが地紋を埋め込む処理手順を示すフローチャートである。
【００５３】
ユーザの入力によって印刷画像データを受け付けると（Ｓ１）、その印刷画像データを印刷画像データ記憶部に記憶する（Ｓ２）。そして、印刷画像データをビットマップデータに展開して、印字可能領域内の余白領域のサイズを算出する（Ｓ３）。
【００５４】
次に、ユーザの入力によって地紋データを受け付けると（Ｓ４）、その地紋データから地紋画像データを生成するとともに（Ｓ５）、一時的に地紋画像データ記憶部に記憶する（Ｓ６）。そして、パターンサイズ算出部が、地紋を構成するドットパターン１単位のサイズを算出する（Ｓ７）。なお、ここでは、印刷画像データを受け付けてから地紋データを受け付けているが、その順序は特に限定しない。例えば、ユーザの入力順に印刷地紋データと地紋データを受け付けるようにしても良い。
【００５５】
続いて、サイズ比算出部が、Ｓ３で求めた余白領域のサイズとＳ７で求めたドットパターンのサイズとのサイズ比や、余白領域に埋め込むことができるパターン数を算出する（Ｓ８）。そして、これらサイズ比、パターン数等のドットパターンに関する情報をディスプレイに表示させる（Ｓ９）。
【００５６】
ディスプレイに表示された情報を見たユーザは、その情報を基にドットパターンのサイズを決定し、キーボードから入力することができる。ユーザによるサイズの入力を受け付けると（Ｓ１０）、受け付けたサイズに変更する（Ｓ１１）。
【００５７】
続いて、サイズを変更したドットパターン（地紋画像データ）を埋め込み、印刷画像データと地紋画像データとを合成した地紋入りの合成画像データを生成する（Ｓ１３）。
【００５８】
以上のように、本実施の形態における画像処理装置では、トナー消費量を削減させたい場合にはドットパターンのサイズを拡大し、トラッキング性能を向上させたい場合にはドットパターンのサイズを拡大させないようにすることができる。これにより、トナー消費量の削減とトラッキング性能の向上のいずれを優先させるか選択することができる。また、ドットパターンのサイズを適度に拡大することで、一定のトラッキング性能を維持しつつトナー消費量を削減することも可能となる。
【００５９】
上述の実施の形態で利用した画像処理プログラムは、インターネットなどの電気通信回線を用いたり、コンピュータ読み取り可能な記録媒体に格納したりすることで、関係者や第三者に提供することができる。例えばプログラムの指令を電気信号や光信号、磁気信号などで表現し、その信号を搬送波に載せて送信することで、同軸ケーブルや銅線、光ファイバのような伝送媒体でそのプログラムを提供することができる。またコンピュータ読取可能な記録媒体としては、ＣＤ−ＲＯＭやＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷなどの光学メディアや、フレキシブルディスクのような磁気メディア、フラッシュメモリやＲＡＭのような半導体メモリを利用することができる。
【００６０】
また上述した実施の形態は本発明の技術的範囲を制限するものではなく、既に記載したもの以外でも、本発明の範囲内で種々の変形や応用が可能である。
【産業上の利用可能性】
【００６１】
本発明に係る画像処理装置等によれば、トナー消費量の削減とトラッキング性能の向上、維持とのいずれを優先させるかを選択することができ、コンピュータや、コンピュータプログラムなどに有用である。
【図面の簡単な説明】
【００６２】
【図１】本実施の形態における画像処理システムの全体構成の簡略図。
【図２】本実施の形態におけるコンピュータの機械的構成図。
【図３】地紋データファイルのデータ構成図。
【図４】印刷画像データが出力される状態のイメージ画像を示す図。
【図５】本実施の形態におけるコンピュータの機能ブロック図。
【図６】ドットパターンに関する情報を示す図。
【図７】サイズを拡大したドットパターンの一例を示す図。
【図８】余白領域にドットパターンを埋め込んだ状態のイメージ画像を示す図。
【図９】本実施の形態におけるコンピュータの画像処理手順を示すフローチャート。
【符号の説明】
【００６３】
１００    コンピュータ
１０１    印刷装置
１０２    プリンタ
１０３    複合機
２１０    印刷画像データ
２１１    地紋画像データ
２１２    画像処理プログラム
２１３    プリンタドライバ
５０１    地紋データ受付部
５０２    地紋画像データ生成部
５０３    地紋画像データ記憶部
５０４    パターンサイズ算出部
５０５    印刷画像データ受付部
５０６    印刷画像データ記憶部
５０７    余白領域算出部
５０８    サイズ比算出部
５０９    パターン数算出部
５１０    パターン情報表示部
５１１    パターンサイズ受付部
５１２    パターンサイズ変更部
５１３    地紋埋め込み部
５１４    合成画像データ出力部
【図１】
2008219331.tif 000003
【図２】
2008219331.tif 000004
【図３】
2008219331.tif 000005
【図４】
2008219331.tif 000006
【図５】
2008219331.tif 000007
【図６】
2008219331.tif 000008
【図７】
2008219331.tif 000009
【図８】
2008219331.tif 000010
【図９】
2008219331.tif 000011